【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光と該測定光に対応する参照光とを合波した光に基づいて、該被検眼の断層画像を取得する眼科撮像装置であって、
固視光の点灯位置を変更する点灯位置変更手段と、
前記測定光と前記参照光との光路長差を変更する光路長差変更手段と、
前記変更された点灯位置に基づいて、前記光路長差変更手段を制御する制御手段と、
を有することを特徴とする眼科撮像装置。
【請求項２】
前記制御手段が、前記被検眼の特性に基づいて、前記光路長差変更手段を制御することを特徴とする請求項１に記載の眼科撮像装置。
【請求項３】
前記変更された点灯位置に基づいて、前記被検眼の眼軸と前記測定光の光路の光軸との相対位置を変更する相対位置変更手段を更に有することを特徴とする請求項１または請求項２に記載の眼科撮像装置。
【請求項４】
前記点灯位置変更手段が、前記固視灯の点灯位置を、前記被検眼の第１の観察部位に対する位置から前記被検眼の第２の観察部位に対する位置に変更する場合において、
前記点灯位置変更手段が前記固視灯の点灯位置を変更する前に前記第１の観察部位の断層画像が取得され、
前記点灯位置変更手段が前記固視灯の点灯位置を変更した後に前記光路長差変更手段により変更した前記光路長差で前記第２の観察部位の断層画像が取得されることを特徴とする請求項１乃至３のいずれか１項に記載の眼科撮像装置。
【請求項５】
前記被検眼に対して前記測定光を走査する走査手段を更に有し、
前記点灯位置変更手段が、前記走査手段による前記測定光の走査中に前記点灯位置を変更することを特徴とする請求項１乃至４のいずれか１項に記載の眼科撮像装置。
【請求項６】
測定光を照射した被検眼からの戻り光と該測定光に対応する参照光とを合波した光に基づいて、該被検眼の断層画像を取得する眼科撮像装置であって、
前記被検眼の眼軸と前記測定光の光路の光軸との相対位置を変更する相対位置変更手段と、
前記測定光と前記参照光との光路長差を変更する光路長差変更手段と、
前記相対位置の変更に応じて、前記光路長差変更手段を制御する制御手段と、
を有することを特徴とする眼科撮像装置。
【請求項７】
固視光の点灯位置を変更する点灯位置変更手段を更に有し、
前記相対位置変更手段が、前記変更された点灯位置に基づいて前記相対位置を変更することを特徴とする請求項６に記載の眼科撮像装置。
【請求項８】
前記制御手段が、前記相対位置の変更に応じて、前記被検眼の特性に基づいて前記光路長差変更手段を制御することを特徴とする請求項６または請求項７に記載の眼科撮像装置。
【請求項９】
前記被検眼に対して前記測定光を走査する走査手段を更に有し、
前記相対位置変更手段が、前記走査手段による前記測定光の走査中に前記相対位置を変更することを特徴とする請求項６乃至８のいずれか１項に記載の眼科撮像装置。
【請求項１０】
前記制御手段により前記光路長差変更手段が制御された後に、前記測定光を照射した前記被検眼からの戻り光と前記参照光とを合波した光に基づいて、該被検眼の断層画像が取得されることを特徴とする請求項１乃至９のいずれか１項に記載の眼科撮像装置。
【請求項１１】
測定光を照射した被検眼からの戻り光と該測定光に対応する参照光とを合波した光に基づいて、該被検眼の断層画像を取得する眼科撮像方法であって、
固視光の点灯位置を変更する工程と、
前記変更された点灯位置に基づいて、前記測定光と前記参照光との光路長差を変更する工程と、
を含むことを特徴とする眼科撮像方法。
【請求項１２】
前記光路長差を変更する工程において、前記被検眼の特性に基づいて、前記光路長差を変更することを特徴とする請求項１１に記載の眼科撮像方法。
【請求項１３】
前記変更された点灯位置に基づいて、前記被検眼の眼軸と前記測定光の光路の光軸との相対位置を変更する工程を更に有することを特徴とする請求項１１または請求項１２に記載の眼科撮像方法。
【請求項１４】
前記点灯位置を変更する工程において、前記固視灯の点灯位置を、前記被検眼の第１の観察部位に対する位置から前記被検眼の第２の観察部位に対する位置に変更する場合において、
前記固視灯の点灯位置が変更される前に前記第１の観察部位の断層画像を取得する工程と、
前記固視灯の点灯位置が変更された後に前記変更された光路長差で前記第２の観察部位の断層画像を取得する工程と、
を更に有することを特徴とする請求項１１乃至１３のいずれか１項に記載の眼科撮像方法。
【請求項１５】
前記点灯位置を変更する工程において、前記測定光の走査中に前記点灯位置を変更することを特徴とする請求項１１乃至１４のいずれか１項に記載の眼科撮像方法。
【請求項１６】
測定光を照射した被検眼からの戻り光と該測定光に対応する参照光とを合波した光に基づいて、該被検眼の断層画像を取得する眼科撮像方法であって、
前記被検眼の眼軸と前記測定光の光路の光軸との相対位置を変更する工程と、
前記相対位置の変更に応じて、前記測定光と前記参照光との光路長差を変更する工程と、
を有することを特徴とする眼科撮像方法。
【請求項１７】
固視光の点灯位置を変更する工程を更に有し、
前記相対位置を変更する工程において、前記変更された点灯位置に基づいて前記相対位置を変更することを特徴とする請求項１６に記載の眼科撮像方法。
【請求項１８】
前記光路長差を変更する工程において、前記相対位置の変更に応じて、前記被検眼の特性に基づいて前記光路長差を変更することを特徴とする請求項１６または請求項１７に記載の眼科撮像方法。
【請求項１９】
前記相対位置を変更する工程において、前記測定光の走査中に前記相対位置を変更することを特徴とする請求項１６乃至１８のいずれか１項に記載の眼科撮像方法。
【請求項２０】
前記光路長差が変更された後に、前記測定光を照射した前記被検眼からの戻り光と前記参照光とを合波した光に基づいて、該被検眼の断層画像を取得する工程を更に有することを特徴とする請求項１６乃至１９のいずれか１項に記載の眼科撮像方法。
【請求項２１】
請求項１１乃至２０のいずれか１項に記載の眼科撮像方法の各工程をコンピュータに実行させることを特徴とするプログラム。
【手続補正２】
【補正対象書類名】明細書
【補正対象項目名】発明の名称
【補正方法】変更
【補正の内容】
【発明の名称】眼科像撮像装置、および眼科撮像方法、そのプログラム
【手続補正３】
【補正対象書類名】明細書
【補正対象項目名】０００１
【補正方法】変更
【補正の内容】
【０００１】
本発明は、眼科像撮像装置、および眼科撮像方法、そのプログラムに関する。
特に、眼科診療等に用いられるＯＣＴにより断層画像を撮像する眼科像撮像装置、および眼科撮像方法、そのプログラムに関するものである。
【手続補正４】
【補正対象書類名】明細書
【補正対象項目名】０００６
【補正方法】変更
【補正の内容】
【０００６】
本発明は、上記課題に鑑み、被検査物である被検眼の複数箇所の断層画像の撮像が、簡単な操作で行える眼科像撮像装置、および眼科撮像方法、そのプログラムを提供することを目的とする。
【手続補正５】
【補正対象書類名】明細書
【補正対象項目名】０００７
【補正方法】変更
【補正の内容】
【０００７】
本発明の眼科撮像装置は、測定光を照射した被検眼からの戻り光と該測定光に対応する参照光とを合波した光に基づいて、該被検眼の断層画像を取得する眼科撮像装置であって、
固視光の点灯位置を変更する点灯位置変更手段と、
前記測定光と前記参照光との光路長差を変更する光路長差変更手段と、
前記変更された点灯位置に基づいて、前記光路長差変更手段を制御する制御手段と、
を有する。
また、本発明の眼科像撮像装置は、測定光を照射した被検眼からの戻り光と該測定光に対応する参照光とを合波した光に基づいて、該被検眼の断層画像を取得する眼科撮像装置であって、
前記被検眼の眼軸と前記測定光の光路の光軸との相対位置を変更する相対位置変更手段と、
前記測定光と前記参照光との光路長差を変更する光路長差変更手段と、
前記相対位置の変更に応じて、前記光路長差変更手段を制御する制御手段と、
を有することを特徴とする。
また、本発明の眼科撮像方法は、測定光を照射した被検眼からの戻り光と該測定光に対応する参照光とを合波した光に基づいて、該被検眼の断層画像を取得する眼科撮像方法であって、
固視光の点灯位置を変更する工程と、
前記変更された点灯位置に基づいて、前記測定光と前記参照光との光路長差を変更する工程と、
を含むことを特徴とする。
また、本発明の眼科撮像方法は、測定光を照射した被検眼からの戻り光と該測定光に対応する参照光とを合波した光に基づいて、該被検眼の断層画像を取得する眼科撮像方法であって、
前記被検眼の眼軸と前記測定光の光路の光軸との相対位置を変更する工程と、
前記相対位置の変更に応じて、前記測定光と前記参照光との光路長差を変更する工程と、
を有することを特徴とする。
【手続補正６】
【補正対象書類名】明細書
【補正対象項目名】０００８
【補正方法】変更
【補正の内容】
【０００８】
本発明によれば、被検査物である被検眼の複数箇所の断層画像の撮像が、簡単な操作で行える眼科撮像装置、および眼科撮像方法、そのプログラムを実現することができる。
【手続補正７】
【補正対象書類名】明細書
【補正対象項目名】００１１
【補正方法】変更
【補正の内容】
【００１１】
［実施例１］
実施例１においては、本発明の眼科撮像装置（以下、光断層画像撮像装置と記す。）及び眼科撮像方法（以下、光断層画像の撮像方法又は取得方法と記す。）の構成を適用したＯＣＴ装置等の構成例について説明する。
本実施例では、光源からの測定光を、被検査物に照射し、被検査物に照射された測定光による戻り光の強度により被検査物の断層画像を撮像する光断層画像撮像装置が構成される。
また、ＯＣＴ装置は、固視灯を有し、その点灯位置に基づいて、参照光路の光路長を変更させることを特徴とする。